(57)【要約】  コンテンツ制作者の意図にあった周辺機器の制御を行い、臨場感の高いコンテンツ視聴を実現するデータ送信装置、データ受信装置、データ送信方法、データ受信方法および視聴環境制御方法を提供する。データ送信装置は、映像符号化部１０１、音声符号化部１０２、視聴環境制御データ符号化部１０３、視聴環境制御データ入力部１０４、データ多重化部１０５、および送信部１０６から構成される。視聴環境制御データ入力部１０４からは、映像データ及び／又は音声データを再生する視聴環境空間における１以上の周辺機器に対する視聴環境制御データとして、前記周辺機器に対する制御指定値と、該制御指定値に対する誤差許容範囲を示す制作者プリファレンス情報が入力され、映像データ及び／又は音声データとともに送信される。
2010007987.tif 000002
【特許請求の範囲】
【請求項１】
映像データ及び／又は音声データと、該映像データ及び／又は音声データを再生する視聴環境空間における１以上の周辺機器に対する視聴環境制御データとを多重化して送信する送信手段を備えたデータ送信装置であって、
前記視聴環境制御データは、前記周辺機器に対する制御指定値と、該制御指定値に対する誤差許容範囲を示す制作者プリファレンス情報とを含むことを特徴とするデータ送信装置。
【請求項２】
映像データ及び／又は音声データと、該映像データ及び／又は音声データを再生する視聴環境空間における１以上の周辺機器に対する視聴環境制御データを識別する識別情報とを多重化した多重化データと、前記視聴環境制御データとを送信する送信手段を備えたデータ送信装置であって、
前記視聴環境制御データは、前記周辺機器に対する制御指定値と、該制御指定値に対する誤差許容範囲を示す制作者プリファレンス情報とを含むことを特徴とするデータ送信装置。
【請求項３】
外部からの要求を受けて、所定の映像データ及び／又は音声データを再生する視聴環境空間における１以上の周辺機器に対する視聴環境制御データを送信する送信手段を備えたデータ送信装置であって、
前記視聴環境制御データは、前記周辺機器に対する制御指定値と、該制御指定値に対する誤差許容範囲を示す制作者プリファレンス情報とを含むことを特徴とするデータ送信装置。
【請求項４】
前記制作者プリファレンス情報は、前記制御指定値のみで前記周辺機器を制御することを許可する許容種別情報を含むことを特徴とする請求項１乃至３のいずれか１項に記載のデータ送信装置。
【請求項５】
前記制作者プリファレンス情報は、前記制御指定値より小さい値で前記周辺機器を制御することを許可する許容種別情報を含むことを特徴とする請求項１乃至３のいずれか１項に記載のデータ送信装置。
【請求項６】
前記制作者プリファレンス情報は、前記制御指定値より大きい値で前記周辺機器を制御することを許可する許容種別情報を含むことを特徴とする請求項１乃至３のいずれか１項に記載のデータ送信装置。
【請求項７】
前記制作者プリファレンス情報は、前記制御指定値を含む所定範囲内の値で前記周辺機器を制御することを許可する許容種別情報を含むことを特徴とする請求項１乃至３のいずれか１項に記載のデータ送信装置。
【請求項８】
前記制作者プリファレンス情報は、前記値を許容する範囲を前記制御指定値に対する割合で示す近似許容範囲情報を含むことを特徴とする請求項５乃至７のいずれか１項に記載のデータ送信装置。
【請求項９】
前記制御指定値は、量子化された値によって表されることを特徴とする請求項１乃至８のいずれか１項に記載のデータ送信装置。
【請求項１０】
前記制作者プリファレンス情報は、ＸＭＬ属性として記述されることを特徴とする請求項１乃至９のいずれか１項に記載のデータ送信装置。
【請求項１１】
前記制作者プリファレンス情報は、ＸＭＬ要素として記述されることを特徴とする請求項１乃至９のいずれか１項に記載のデータ送信装置。
【請求項１２】
前記視聴環境制御データは、前記映像データのシーン単位で記述されることを特徴とする請求項１乃至１１のいずれか１項に記載のデータ送信装置。
【請求項１３】
前記視聴環境制御データは、前記映像データのショット単位で記述されることを特徴とする請求項１乃至１１のいずれか１項に記載のデータ送信装置。
【請求項１４】
前記視聴環境制御データは、前記映像データのフレーム単位で記述されることを特徴とする請求項１乃至１１のいずれか１項に記載のデータ送信装置。
【請求項１５】
前記視聴環境制御データは、前記視聴環境空間における１以上の照明装置に対する照明制御データであることを特徴とする請求項１乃至１４のいずれか１項に記載のデータ送信装置。
【請求項１６】
映像データ及び／又は音声データと、該映像データ及び／又は音声データを再生する視聴環境空間における１以上の周辺機器に対する視聴環境制御データとを含む多重化データを受信する受信手段を備えたデータ受信装置であって、
前記視聴環境制御データは、前記周辺機器に対する制御指定値と、該制御指定値に対する誤差許容範囲を示す制作者プリファレンス情報とを含むことを特徴とするデータ受信装置。
【請求項１７】
映像データ及び／又は音声データと、該映像データ及び／又は音声データを再生する視聴環境空間における１以上の周辺機器に対する視聴環境制御データを識別する識別情報とを含む多重化データを受信するとともに、該識別情報に基づいて前記視聴環境制御データを受信する受信手段を備えたデータ受信装置であって、
前記視聴環境制御データは、前記周辺機器に対する制御指定値と、該制御指定値に対する誤差許容範囲を示す制作者プリファレンス情報とを含むことを特徴とするデータ受信装置。
【請求項１８】
映像データ及び／又は音声データを受信するとともに、ユーザの要求に基づいて該映像データ及び／又は音声データを再生する視聴環境空間における１以上の周辺機器に対する視聴環境制御データを受信する受信手段を備えたデータ受信装置であって、
前記視聴環境制御データは、前記周辺機器に対する制御指定値と、該制御指定値に対する誤差許容範囲を示す制作者プリファレンス情報とを含むことを特徴とするデータ受信装置。
【請求項１９】
前記制作者プリファレンス情報は、前記制御指定値のみで前記周辺機器を制御することを許可する許容種別情報を含むことを特徴とする請求項１６乃至１８のいずれか１項に記載のデータ受信装置。
【請求項２０】
前記制作者プリファレンス情報は、前記制御指定値より小さい値で前記周辺機器を制御することを許可する許容種別情報を含むことを特徴とする請求項１６乃至１８のいずれか１項に記載のデータ受信装置。
【請求項２１】
前記制作者プリファレンス情報は、前記制御指定値より大きい値で前記周辺機器を制御することを許可する許容種別情報を含むことを特徴とする請求項１６乃至１８のいずれか１項に記載のデータ受信装置。
【請求項２２】
前記制作者プリファレンス情報は、前記制御指定値を含む所定範囲内の値で前記周辺機器を制御することを許可する許容種別情報を含むことを特徴とする請求項１６乃至１８のいずれか１項に記載のデータ受信装置。
【請求項２３】
前記制作者プリファレンス情報は、前記値を許容する範囲を前記制御指定値に対する割合で示す近似許容範囲情報を含むことを特徴とする請求項２０乃至２２のいずれか１項に記載のデータ受信装置。
【請求項２４】
前記制御指定値は、量子化された値によって表されることを特徴とする請求項１６乃至２３のいずれか１項に記載のデータ受信装置。
【請求項２５】
前記制作者プリファレンス情報は、ＸＭＬ属性で示されることを特徴とする請求項１６乃至２４のいずれか１項に記載のデータ受信装置。
【請求項２６】
前記制作者プリファレンス情報は、ＸＭＬ要素で示されることを特徴とする請求項１６乃至２４のいずれか１項に記載のデータ受信装置。
【請求項２７】
前記視聴環境制御データは、前記映像データのシーン単位で示されることを特徴とする請求項１６乃至２６のいずれか１項に記載のデータ受信装置。
【請求項２８】
前記視聴環境制御データは、前記映像データのショット単位で示されることを特徴とする請求項１６乃至２６のいずれか１項に記載のデータ受信装置。
【請求項２９】
前記視聴環境制御データは、前記映像データのフレーム単位で示されることを特徴とする請求項１６乃至２６のいずれか１項に記載のデータ受信装置。
【請求項３０】
前記視聴環境制御データは、前記視聴環境空間における１以上の照明装置に対する照明制御データであることを特徴とする請求項１６乃至２９のいずれか１項に記載のデータ受信装置。
【請求項３１】
前記視聴環境制御データに基づく前記周辺機器の動作を制限するためのユーザのプリファレンスデータを取得する取得手段をさらに有することを特徴とする請求項１６乃至３０のいずれか１項に記載のデータ受信装置。
【請求項３２】
前記ユーザのプリファレンスデータは、前記周辺機器に対する動作可否情報及び／又は前記制御指定値に対する制限情報を含むことを特徴とする請求項３１に記載のデータ受信装置。
【請求項３３】
前記ユーザのプリファレンスデータは、該ユーザのプリファレンスデータが適用される条件を記述した視聴環境情報を含むことを特徴とする請求項３１または３２に記載のデータ受信装置。
【請求項３４】
前記視聴環境情報は、前記ユーザのプリファレンスデータが適用される時間及び／又は場所の情報を含むことを特徴とする請求項３３に記載のデータ受信装置。
【請求項３５】
映像データ及び／又は音声データと、該映像データ及び／又は音声データを再生する視聴環境空間における１以上の周辺機器に対する視聴環境制御データとを多重化して送信するデータ送信方法であって、
前記視聴環境制御データは、前記周辺機器に対する制御指定値と、該制御指定値に対する誤差許容範囲を示す制作者プリファレンス情報とを含むことを特徴とするデータ送信方法。
【請求項３６】
映像データ及び／又は音声データと、該映像データ及び／又は音声データを再生する視聴環境空間における１以上の周辺機器に対する視聴環境制御データを識別する識別情報とを多重化した多重化データと、前記視聴環境制御データとを送信するデータ送信方法であって、
前記視聴環境制御データは、前記周辺機器に対する制御指定値と、該制御指定値に対する誤差許容範囲を示す制作者プリファレンス情報とを含むことを特徴とするデータ送信方法。
【請求項３７】
外部からの要求を受けて、所定の映像データ及び／又は音声データを再生する視聴環境空間における１以上の周辺機器に対する視聴環境制御データを送信するデータ送信方法であって、
前記視聴環境制御データは、前記周辺機器に対する制御指定値と、該制御指定値に対する誤差許容範囲を示す制作者プリファレンス情報とを含むことを特徴とするデータ送信方法。
【請求項３８】
映像データ及び／又は音声データと、該映像データ及び／又は音声データを再生する視聴環境空間における１以上の周辺機器に対する視聴環境制御データとを含む多重化データを受信するデータ受信方法であって、
前記視聴環境制御データは、前記周辺機器に対する制御指定値と、該制御指定値に対する誤差許容範囲を示す制作者プリファレンス情報とを含むことを特徴とするデータ受信方法。
【請求項３９】
映像データ及び／又は音声データと、該映像データ及び／又は音声データを再生する視聴環境空間における１以上の周辺機器に対する視聴環境制御データを識別する識別情報とを含む多重化データを受信するとともに、該識別情報に基づいて前記視聴環境制御データを受信するデータ受信方法であって、
前記視聴環境制御データは、前記周辺機器に対する制御指定値と、該制御指定値に対する誤差許容範囲を示す制作者プリファレンス情報とを含むことを特徴とするデータ受信方法。
【請求項４０】
映像データ及び／又は音声データを受信するとともに、ユーザの要求に基づいて該映像データ及び／又は音声データを再生する視聴環境空間における１以上の周辺機器に対する視聴環境制御データを受信するデータ受信方法であって、
前記視聴環境制御データは、前記周辺機器に対する制御指定値と、該制御指定値に対する誤差許容範囲を示す制作者プリファレンス情報とを含むことを特徴とするデータ受信方法。
【請求項４１】
映像データ及び／又は音声データと、該映像データ及び／又は音声データを再生する視聴環境空間における１以上の周辺機器に対する視聴環境制御データとを含む多重化データを受信する視聴環境制御方法であって、
前記視聴環境制御データは、前記周辺機器に対する制御指定値と、該制御指定値に対する誤差許容範囲を示す制作者プリファレンス情報とを含むことを特徴とする視聴環境制御方法。
【請求項４２】
映像データ及び／又は音声データと、該映像データ及び／又は音声データを再生する視聴環境空間における１以上の周辺機器に対する視聴環境制御データを識別する識別情報とを含む多重化データを受信するとともに、該識別情報に基づいて前記視聴環境制御データを受信する視聴環境制御方法であって、
前記視聴環境制御データは、前記周辺機器に対する制御指定値と、該制御指定値に対する誤差許容範囲を示す制作者プリファレンス情報とを含むことを特徴とする視聴環境制御方法。
【請求項４３】
映像データ及び／又は音声データを受信するとともに、ユーザの要求に基づいて該映像データ及び／又は音声データを再生する視聴環境空間における１以上の周辺機器に対する視聴環境制御データを受信する視聴環境制御方法であって、
前記視聴環境制御データは、前記周辺機器に対する制御指定値と、該制御指定値に対する誤差許容範囲を示す制作者プリファレンス情報とを含むことを特徴とする視聴環境制御方法。
【請求項４４】
映像データ及び／又は音声データと、該映像データ及び／又は音声データを再生する視聴環境空間における１以上の周辺機器に対する視聴環境制御データとを含む多重化データを受信する受信手段と、
前記視聴環境制御データに基づく前記周辺機器の動作を制限するためのユーザのプリファレンスデータを取得する取得手段とを備えたデータ受信装置であって、
前記視聴環境制御データは、前記周辺機器に対する制御指定値を少なくとも含み、
前記ユーザのプリファレンスデータは、前記周辺機器に対する動作可否情報及び／又は前記制御指定値に対する制限情報を含むことを特徴とするデータ受信装置。
【請求項４５】
映像データ及び／又は音声データと、該映像データ及び／又は音声データを再生する視聴環境空間における１以上の周辺機器に対する視聴環境制御データを識別する識別情報とを含む多重化データを受信するとともに、該識別情報に基づいて前記視聴環境制御データを受信する受信手段と、
前記視聴環境制御データに基づく前記周辺機器の動作を制限するためのユーザのプリファレンスデータを取得する取得手段とを備えたデータ受信装置であって、
前記視聴環境制御データは、前記周辺機器に対する制御指定値を少なくとも含み、
前記ユーザのプリファレンスデータは、前記周辺機器に対する動作可否情報及び／又は前記制御指定値に対する制限情報を含むことを特徴とするデータ受信装置。
【請求項４６】
映像データ及び／又は音声データを受信するとともに、ユーザの要求に基づいて該映像データ及び／又は音声データを再生する視聴環境空間における１以上の周辺機器に対する視聴環境制御データを受信する受信手段と、
前記視聴環境制御データに基づく前記周辺機器の動作を制限するためのユーザのプリファレンスデータを取得する取得手段とを備えたデータ受信装置であって、
前記視聴環境制御データは、前記周辺機器に対する制御指定値を少なくとも含み、
前記ユーザのプリファレンスデータは、前記周辺機器に対する動作可否情報及び／又は前記制御指定値に対する制限情報を含むことを特徴とするデータ受信装置。
【請求項４７】
前記ユーザのプリファレンスデータは、該ユーザのプリファレンスデータが適用される条件を記述した視聴環境情報を含むことを特徴とする請求項４４乃至４６のいずれか１項に記載のデータ受信装置。
【請求項４８】
前記視聴環境情報は、前記ユーザのプリファレンスデータが適用される時間及び／又は場所の情報を含むことを特徴とする請求項４７に記載のデータ受信装置。
【請求項４９】
映像データ及び／又は音声データと、該映像データ及び／又は音声データを再生する視聴環境空間における１以上の周辺機器に対する視聴環境制御データとを含む多重化データを受信し、
前記視聴環境制御データに基づく前記周辺機器の動作を制限するためのユーザのプリファレンスデータを取得するデータ受信方法であって、
前記視聴環境制御データは、前記周辺機器に対する制御指定値を少なくとも含み、
前記ユーザのプリファレンスデータは、前記周辺機器に対する動作可否情報及び／又は前記制御指定値に対する制限情報を含むことを特徴とするデータ受信方法。
【請求項５０】
映像データ及び／又は音声データと、該映像データ及び／又は音声データを再生する視聴環境空間における１以上の周辺機器に対する視聴環境制御データを識別する識別情報とを含む多重化データを受信するとともに、該識別情報に基づいて前記視聴環境制御データを受信し、
前記視聴環境制御データに基づく前記周辺機器の動作を制限するためのユーザのプリファレンスデータを取得するデータ受信方法であって、
前記視聴環境制御データは、前記周辺機器に対する制御指定値を少なくとも含み、
前記ユーザのプリファレンスデータは、前記周辺機器に対する動作可否情報及び／又は前記制御指定値に対する制限情報を含むことを特徴とするデータ受信方法。
【請求項５１】
映像データ及び／又は音声データを受信するとともに、ユーザの要求に基づいて該映像データ及び／又は音声データを再生する視聴環境空間における１以上の周辺機器に対する視聴環境制御データを受信し、
前記視聴環境制御データに基づく前記周辺機器の動作を制限するためのユーザのプリファレンスデータを取得するデータ受信方法であって、
前記視聴環境制御データは、前記周辺機器に対する制御指定値を少なくとも含み、
前記ユーザのプリファレンスデータは、前記周辺機器に対する動作可否情報及び／又は前記制御指定値に対する制限情報を含むことを特徴とするデータ受信方法。
【発明の詳細な説明】
【技術分野】
【０００１】
本発明は、臨場感の高いコンテンツ視聴を実現するために、映像／音声コンテンツと連動して各種周辺機器を動作させるためのデータを送受信するデータ送信装置、データ受信装置、データ送信方法、データ受信方法および視聴環境制御方法に関する。
【背景技術】
【０００２】
近年、映像／音声コンテンツと連動して、視聴空間における照明、扇風機、エアコンなどの各種周辺機器を動作させることにより、臨場感の高いコンテンツ視聴を実現する方法が提案されている。例えば、特許文献１、２には、画像表示装置に表示される画像に連動して視聴環境照明を制御することによって、高い臨場感が得られる照明制御方法が開示されている。
【先行技術文献】
【特許文献】
【０００３】
【特許文献１】特開２０００−１７３７８３号公報
【特許文献２】特開２００１−３４３９００号公報
【発明の概要】
【発明が解決しようとする課題】
【０００４】
しかしながら、従来の方法では、ユーザの照明装置の仕様が、コンテンツ制作者の意図する照明条件（例えば、照明の明るさや色温度等）を厳密にサポートしていない場合に、ユーザは照明をつけるべきか否かを判断することが困難であった。また、ユーザは、これらのコンテンツを視聴する際の時間や場所、状態によっては、他人への配慮などの理由で、これらの照明など高臨場感をもたらす付加効果の実行を調整する必要が生じ、視聴毎に周辺機器の動作設定を行わなければならなかった。【０００５】
本発明は、上記課題を解決するためのものであって、コンテンツ制作者の意図にあった周辺機器の制御を行い、臨場感の高いコンテンツ視聴を実現するデータ送信装置、データ受信装置、データ送信方法、データ受信方法および視聴環境制御方法を提供することを、その目的とする。
【課題を解決するための手段】
【０００６】
上記課題を解決するために、本発明の第１の技術手段は、映像データ及び／又は音声データと、該映像データ及び／又は音声データを再生する視聴環境空間における１以上の周辺機器に対する視聴環境制御データとを多重化して送信する送信手段を備えたデータ送信装置であって、前記視聴環境制御データは、前記周辺機器に対する制御指定値と、該制御指定値に対する誤差許容範囲を示す制作者プリファレンス情報とを含むことを特徴としたものである。【０００７】
第２の技術手段は、映像データ及び／又は音声データと、該映像データ及び／又は音声データを再生する視聴環境空間における１以上の周辺機器に対する視聴環境制御データを識別する識別情報とを多重化した多重化データと、前記視聴環境制御データとを送信する送信手段を備えたデータ送信装置であって、前記視聴環境制御データは、前記周辺機器に対する制御指定値と、該制御指定値に対する誤差許容範囲を示す制作者プリファレンス情報とを含むことを特徴としたものである。【０００８】
第３の技術手段は、外部からの要求を受けて、所定の映像データ及び／又は音声データを再生する視聴環境空間における１以上の周辺機器に対する視聴環境制御データを送信する送信手段を備えたデータ送信装置であって、前記視聴環境制御データは、前記周辺機器に対する制御指定値と、該制御指定値に対する誤差許容範囲を示す制作者プリファレンス情報とを含むことを特徴としたものである。【０００９】
第４の技術手段は、第１乃至３のいずれか１の技術手段において、前記制作者プリファレンス情報は、前記制御指定値のみで前記周辺機器を制御することを許可する許容種別情報を含むことを特徴としたものである。【００１０】
第５の技術手段は、第１乃至３のいずれかの技術手段において、前記制作者プリファレンス情報は、前記制御指定値より小さい値で前記周辺機器を制御することを許可する許容種別情報を含むことを特徴としたものである。【００１１】
第６の技術手段は、第１乃至３のいずれかの技術手段において、前記制作者プリファレンス情報は、前記制御指定値より大きい値で前記周辺機器を制御することを許可する許容種別情報を含むことを特徴としたものである。【００１２】
第７の技術手段は、第１乃至３のいずれかの技術手段において、前記制作者プリファレンス情報は、前記制御指定値を含む所定範囲内の値で前記周辺機器を制御することを許可する許容種別情報を含むことを特徴としたものである。【００１３】
第８の技術手段は、第５乃至７のいずれかの技術手段において、前記制作者プリファレンス情報は、前記値を許容する範囲を前記制御指定値に対する割合で示す近似許容範囲情報を含むことを特徴としたものである。【００１４】
第９の技術手段は、第１乃至８のいずれかの技術手段において、前記制御指定値は、量子化された値によって表されることを特徴としたものである。【００１５】
第１０の技術手段は、第１乃至９のいずれかの技術手段において、前記制作者プリファレンス情報は、ＸＭＬ属性として記述されることを特徴としたものである。【００１６】
第１１の技術手段は、第１乃至９のいずれかの技術手段において、前記制作者プリファレンス情報は、ＸＭＬ要素として記述されることを特徴としたものである。【００１７】
第１２の技術手段は、第１乃至１１のいずれかの技術手段において、前記視聴環境制御データは、前記映像データのシーン単位で記述されることを特徴としたものである。【００１８】
第１３の技術手段は、第１乃至１１のいずれかの技術手段において、前記視聴環境制御データは、前記映像データのショット単位で記述されることを特徴としたものである。【００１９】
第１４の技術手段は、第１乃至１１のいずれかの技術手段において、前記視聴環境制御データは、前記映像データのフレーム単位で記述されることを特徴としたものである。【００２０】
第１５の技術手段は、第１乃至１４のいずれかの技術手段において、前記視聴環境制御データは、前記視聴環境空間における１以上の照明装置に対する照明制御データであることを特徴としたものである。【００２１】
第１６の技術手段は、映像データ及び／又は音声データと、該映像データ及び／又は音声データを再生する視聴環境空間における１以上の周辺機器に対する視聴環境制御データとを含む多重化データを受信する受信手段を備えたデータ受信装置であって、前記視聴環境制御データは、前記周辺機器に対する制御指定値と、該制御指定値に対する誤差許容範囲を示す制作者プリファレンス情報とを含むことを特徴としたものである。【００２２】
第１７の技術手段は、映像データ及び／又は音声データと、該映像データ及び／又は音声データを再生する視聴環境空間における１以上の周辺機器に対する視聴環境制御データを識別する識別情報とを含む多重化データを受信するとともに、該識別情報に基づいて前記視聴環境制御データを受信する受信手段を備えたデータ受信装置であって、前記視聴環境制御データは、前記周辺機器に対する制御指定値と、該制御指定値に対する誤差許容範囲を示す制作者プリファレンス情報とを含むことを特徴としたものである。【００２３】
第１８の技術手段は、映像データ及び／又は音声データを受信するとともに、ユーザの要求に基づいて該映像データ及び／又は音声データを再生する視聴環境空間における１以上の周辺機器に対する視聴環境制御データを受信する受信手段を備えたデータ受信装置であって、前記視聴環境制御データは、前記周辺機器に対する制御指定値と、該制御指定値に対する誤差許容範囲を示す制作者プリファレンス情報とを含むことを特徴としたものである。【００２４】
第１９の技術手段は、第１６乃至１８のいずれかの技術手段において、前記制作者プリファレンス情報は、前記制御指定値のみで前記周辺機器を制御することを許可する許容種別情報を含むことを特徴としたものである。【００２５】
第２０の技術手段は、第１６乃至１８のいずれかの技術手段において、前記制作者プリファレンス情報は、前記制御指定値より小さい値で前記周辺機器を制御することを許可する許容種別情報を含むことを特徴としたものである。【００２６】
第２１の技術手段は、第１６乃至１８のいずれかの技術手段において、前記制作者プリファレンス情報は、前記制御指定値より大きい値で前記周辺機器を制御することを許可する許容種別情報を含むことを特徴としたものである。【００２７】
第２２の技術手段は、第１６乃至１８のいずれかの技術手段において、前記制作者プリファレンス情報は、前記制御指定値を含む所定範囲内の値で前記周辺機器を制御することを許可する許容種別情報を含むことを特徴としたものである。【００２８】
第２３の技術手段は、第２０乃至２２のいずれかの技術手段において、前記制作者プリファレンス情報は、前記値を許容する範囲を前記制御指定値に対する割合で示す近似許容範囲情報を含むことを特徴としたものである。【００２９】
第２４の技術手段は、第１６乃至２３のいずれかの技術手段において、前記制御指定値は、量子化された値によって表されることを特徴としたものである。【００３０】
第２５の技術手段は、第１６乃至２４のいずれかの技術手段において、前記制作者プリファレンス情報は、ＸＭＬ属性で示されることを特徴としたものである。【００３１】
第２６の技術手段は、第１６乃至２４のいずれかの技術手段において、前記制作者プリファレンス情報は、ＸＭＬ要素で示されることを特徴としたものである。【００３２】
第２７の技術手段は、第１６乃至２６のいずれかの技術手段において、前記視聴環境制御データは、前記映像データのシーン単位で示されることを特徴としたものである。【００３３】
第２８の技術手段は、第１６乃至２６のいずれかの技術手段において、前記視聴環境制御データは、前記映像データのショット単位で示されることを特徴としたものである。【００３４】
第２９の技術手段は、第１６乃至２６のいずれかの技術手段において、前記視聴環境制御データは、前記映像データのフレーム単位で示されることを特徴としたものである。【００３５】
第３０の技術手段は、第１６乃至２９のいずれかの技術手段において、前記視聴環境制御データは、前記視聴環境空間における１以上の照明装置に対する照明制御データであることを特徴としたものである。【００３６】
第３１の技術手段は、第１６乃至３０のいずれかの技術手段において、前記視聴環境制御データに基づく前記周辺機器の動作を制限するためのユーザのプリファレンスデータを取得する取得手段をさらに有することを特徴としたものである。【００３７】
第３２の技術手段は、第３１の技術手段において、前記ユーザのプリファレンスデータは、前記周辺機器に対する動作可否情報及び／又は前記制御指定値に対する制限情報を含むことを特徴としたものである。【００３８】
第３３の技術手段は、第３１または３２の技術手段において、前記ユーザのプリファレンスデータは、該ユーザのプリファレンスデータが適用される条件を記述した視聴環境情報を含むことを特徴としたものである。【００３９】
第３４の技術手段は、第３３の技術手段において、前記視聴環境情報は、前記ユーザのプリファレンスデータが適用される時間及び／又は場所の情報を含むことを特徴としたものである。【００４０】
第３５の技術手段は、映像データ及び／又は音声データと、該映像データ及び／又は音声データを再生する視聴環境空間における１以上の周辺機器に対する視聴環境制御データとを多重化して送信するデータ送信方法であって、前記視聴環境制御データは、前記周辺機器に対する制御指定値と、該制御指定値に対する誤差許容範囲を示す制作者プリファレンス情報とを含むことを特徴としたものである。【００４１】
第３６の技術手段は、映像データ及び／又は音声データと、該映像データ及び／又は音声データを再生する視聴環境空間における１以上の周辺機器に対する視聴環境制御データを識別する識別情報とを多重化した多重化データと、前記視聴環境制御データとを送信するデータ送信方法であって、前記視聴環境制御データは、前記周辺機器に対する制御指定値と、該制御指定値に対する誤差許容範囲を示す制作者プリファレンス情報とを含むことを特徴としたものである。【００４２】
第３７の技術手段は、外部からの要求を受けて、所定の映像データ及び／又は音声データを再生する視聴環境空間における１以上の周辺機器に対する視聴環境制御データを送信するデータ送信方法であって、前記視聴環境制御データは、前記周辺機器に対する制御指定値と、該制御指定値に対する誤差許容範囲を示す制作者プリファレンス情報とを含むことを特徴としたものである。【００４３】
第３８の技術手段は、映像データ及び／又は音声データと、該映像データ及び／又は音声データを再生する視聴環境空間における１以上の周辺機器に対する視聴環境制御データとを含む多重化データを受信するデータ受信方法であって、前記視聴環境制御データは、前記周辺機器に対する制御指定値と、該制御指定値に対する誤差許容範囲を示す制作者プリファレンス情報とを含むことを特徴としたものである。【００４４】
第３９の技術手段は、映像データ及び／又は音声データと、該映像データ及び／又は音声データを再生する視聴環境空間における１以上の周辺機器に対する視聴環境制御データを識別する識別情報とを含む多重化データを受信するとともに、該識別情報に基づいて前記視聴環境制御データを受信するデータ受信方法であって、前記視聴環境制御データは、前記周辺機器に対する制御指定値と、該制御指定値に対する誤差許容範囲を示す制作者プリファレンス情報とを含むことを特徴としたものである。【００４５】
第４０の技術手段は、映像データ及び／又は音声データを受信するとともに、ユーザの要求に基づいて該映像データ及び／又は音声データを再生する視聴環境空間における１以上の周辺機器に対する視聴環境制御データを受信するデータ受信方法であって、前記視聴環境制御データは、前記周辺機器に対する制御指定値と、該制御指定値に対する誤差許容範囲を示す制作者プリファレンス情報とを含むことを特徴としたものである。【００４６】
第４１の技術手段は、映像データ及び／又は音声データと、該映像データ及び／又は音声データを再生する視聴環境空間における１以上の周辺機器に対する視聴環境制御データとを含む多重化データを受信する視聴環境制御方法であって、前記視聴環境制御データは、前記周辺機器に対する制御指定値と、該制御指定値に対する誤差許容範囲を示す制作者プリファレンス情報とを含むことを特徴としたものである。【００４７】
第４２の技術手段は、映像データ及び／又は音声データと、該映像データ及び／又は音声データを再生する視聴環境空間における１以上の周辺機器に対する視聴環境制御データを識別する識別情報とを含む多重化データを受信するとともに、該識別情報に基づいて前記視聴環境制御データを受信する視聴環境制御方法であって、前記視聴環境制御データは、前記周辺機器に対する制御指定値と、該制御指定値に対する誤差許容範囲を示す制作者プリファレンス情報とを含むことを特徴としたものである。【００４８】
第４３の技術手段は、映像データ及び／又は音声データを受信するとともに、ユーザの要求に基づいて該映像データ及び／又は音声データを再生する視聴環境空間における１以上の周辺機器に対する視聴環境制御データを受信する視聴環境制御方法であって、前記視聴環境制御データは、前記周辺機器に対する制御指定値と、該制御指定値に対する誤差許容範囲を示す制作者プリファレンス情報とを含むことを特徴としたものである。【００４９】
第４４の技術手段は、映像データ及び／又は音声データと、該映像データ及び／又は音声データを再生する視聴環境空間における１以上の周辺機器に対する視聴環境制御データとを含む多重化データを受信する受信手段と、前記視聴環境制御データに基づく前記周辺機器の動作を制限するためのユーザのプリファレンスデータを取得する取得手段とを備えたデータ受信装置であって、前記視聴環境制御データは、前記周辺機器に対する制御指定値を少なくとも含み、前記ユーザのプリファレンスデータは、前記周辺機器に対する動作可否情報及び／又は前記制御指定値に対する制限情報を含むことを特徴としたものである。【００５０】
第４５の技術手段は、映像データ及び／又は音声データと、該映像データ及び／又は音声データを再生する視聴環境空間における１以上の周辺機器に対する視聴環境制御データを識別する識別情報とを含む多重化データを受信するとともに、該識別情報に基づいて前記視聴環境制御データを受信する受信手段と、前記視聴環境制御データに基づく前記周辺機器の動作を制限するためのユーザのプリファレンスデータを取得する取得手段とを備えたデータ受信装置であって、前記視聴環境制御データは、前記周辺機器に対する制御指定値を少なくとも含み、前記ユーザのプリファレンスデータは、前記周辺機器に対する動作可否情報及び／又は前記制御指定値に対する制限情報を含むことを特徴としたものである。【００５１】
第４６の技術手段は、映像データ及び／又は音声データを受信するとともに、ユーザの要求に基づいて該映像データ及び／又は音声データを再生する視聴環境空間における１以上の周辺機器に対する視聴環境制御データを受信する受信手段と、前記視聴環境制御データに基づく前記周辺機器の動作を制限するためのユーザのプリファレンスデータを取得する取得手段とを備えたデータ受信装置であって、前記視聴環境制御データは、前記周辺機器に対する制御指定値を少なくとも含み、前記ユーザのプリファレンスデータは、前記周辺機器に対する動作可否情報及び／又は前記制御指定値に対する制限情報を含むことを特徴としたものである。【００５２】
第４７の技術手段は、第４４乃至４６のいずれかの技術手段において、前記ユーザのプリファレンスデータは、該ユーザのプリファレンスデータが適用される条件を記述した視聴環境情報を含むことを特徴としたものである。【００５３】
第４８の技術手段は、第４７の技術手段において、前記視聴環境情報は、前記ユーザのプリファレンスデータが適用される時間及び／又は場所の情報を含むことを特徴としたものである。【００５４】
第４９の技術手段は、映像データ及び／又は音声データと、該映像データ及び／又は音声データを再生する視聴環境空間における１以上の周辺機器に対する視聴環境制御データとを含む多重化データを受信し、前記視聴環境制御データに基づく前記周辺機器の動作を制限するためのユーザのプリファレンスデータを取得するデータ受信方法であって、前記視聴環境制御データは、前記周辺機器に対する制御指定値を少なくとも含み、前記ユーザのプリファレンスデータは、前記周辺機器に対する動作可否情報及び／又は前記制御指定値に対する制限情報を含むことを特徴としたものである。【００５５】
第５０の技術手段は、映像データ及び／又は音声データと、該映像データ及び／又は音声データを再生する視聴環境空間における１以上の周辺機器に対する視聴環境制御データを識別する識別情報とを含む多重化データを受信するとともに、該識別情報に基づいて前記視聴環境制御データを受信し、前記視聴環境制御データに基づく前記周辺機器の動作を制限するためのユーザのプリファレンスデータを取得するデータ受信方法であって、前記視聴環境制御データは、前記周辺機器に対する制御指定値を少なくとも含み、前記ユーザのプリファレンスデータは、前記周辺機器に対する動作可否情報及び／又は前記制御指定値に対する制限情報を含むことを特徴としたものである。【００５６】
第５１の技術手段は、映像データ及び／又は音声データを受信するとともに、ユーザの要求に基づいて該映像データ及び／又は音声データを再生する視聴環境空間における１以上の周辺機器に対する視聴環境制御データを受信し、前記視聴環境制御データに基づく前記周辺機器の動作を制限するためのユーザのプリファレンスデータを取得するデータ受信方法であって、前記視聴環境制御データは、前記周辺機器に対する制御指定値を少なくとも含み、前記ユーザのプリファレンスデータは、前記周辺機器に対する動作可否情報及び／又は前記制御指定値に対する制限情報を含むことを特徴としたものである。
【発明の効果】
【００５７】
本発明によれば、視聴コンテンツに対応した視聴環境制御データとして、コンテンツ制作者またはコンテンツ提供者のプリファレンスを記述することにより、コンテンツ視聴環境における周辺機器に対して、コンテンツ制作者またはコンテンツ提供者の意図にあった適切な制御を行うことができ、臨場感の高いコンテンツ視聴を実現することができる。また、ユーザ（視聴者）は、ユーザの好みや視聴状況に応じた、視聴環境制御の実行条件を設定しておくことで、視聴状況に応じた視聴環境制御を実現することができる。
【図面の簡単な説明】
【００５８】
【図１】本発明の一実施態様に係るデータ送信装置の概略構成を示す機能ブロック図である。
【図２】図１のデータ送信装置において視聴環境制御データを映像／音声多重化データとは異なるネットワークで送信する場合の概略構成を示した図である。
【図３】視聴環境制御データ入力部の内部構成を示す機能ブロック図である。
【図４】効果入力部における記述内容の例を示す図である。
【図５】プリファレンス入力部における制作者プリファレンスの記述内容の例を示す図である。
【図６】実施態様１における視聴環境制御データのＸＭＬ記述例を示す図である。
【図７】実施態様１における視聴環境制御データフォーマットのＸＭＬスキーマ記述例である。
【図８】本発明の一実施態様に係るデータ受信装置の概略構成を示す機能ブロック図である。
【図９】図８に示したデータ受信装置において、視聴環境制御データを映像／音声多重化データとは異なるネットワークから受信する場合の概略構成を示した図である。
【図１０】機器制御部の内部構成を示す機能ブロック図である。
【図１１】機器制御部の動作を説明するためのフローチャートである。
【図１２】本発明の一実施態様における制作者プリファレンスの適用例を説明するための図である。
【図１３】本発明の他の実施態様における視聴環境制御データのＸＭＬ記述例である。
【図１４】本発明の他の実施態様における視聴環境制御データフォーマットのＸＭＬスキーマ記述例である。
【図１５】本発明の他の実施態様における機器制御部の動作フローを示した図である。
【図１６】本発明のさらに他の実施態様における視聴環境制御データのＸＭＬ記述例である。
【図１７】本発明のさらに他の実施態様における視聴環境制御データフォーマットのＸＭＬスキーマ記述例である。
【図１８】色温度値の量子化の一例を示した図である。
【図１９】風速値の量子化の一例を示した図である。
【図２０】各付加効果に対する実行方法を記述したユーザプリファレンスのデータ例を示す図である。
【図２１】データ受信装置の変形例を示す機能ブロック図である。
【図２２】機器制御部の内部構成の変形例を示す機能ブロック図である。
【図２３】本発明のさらに他の実施態様における機器制御部の動作を示すフローチャートである。
【図２４】ユーザプリファレンスの適用例を説明するための図である。
【図２５】ユーザプリファレンスにおける視聴環境の情報を記述するデータ例を示す図である。
【図２６】視聴環境情報と付加効果の制御情報を利用したユーザプリファレンスの記述例を示す図である。
【図２７】本発明のさらに他の実施態様におけるユーザプリファレンスのＸＭＬ記述例である。
【図２８】本発明のさらに他の実施態様におけるユーザプリファレンスフォーマットのＸＭＬスキーマ記述例である。
【図２９】付加効果のフィルタリング記述例を示す図である。
【発明を実施するための形態】
【００５９】
以下、図面を参照しながら本発明の実施態様について詳細に説明する。
（実施態様１）
（データ送信装置）
まず、データ送信装置について説明する。図１は、本発明の一実施態様に係るデータ送信装置の概略構成を示す機能ブロック図である。
データ送信装置は、映像符号化部１０１、音声符号化部１０２、視聴環境制御データ符号化部１０３、視聴環境制御データ入力部１０４、データ多重化部１０５、および送信部１０６から構成される。
【００６０】
入力された映像データは、映像符号化部１０１で圧縮符号化され、データ多重化部１０５へ出力される。映像符号化には、ＩＳＯ／ＩＥＣ  １３８１８−２（ＭＰＥＧ−２  Ｖｉｄｅｏ），ＩＳＯ／ＩＥＣ  １４４９６−２（ＭＰＥＧ−４  Ｖｉｓｕａｌ），ＩＳＯ／ＩＥＣ  １４４９６−１０（ＭＰＥＧ−４  ＡＶＣ）など、さまざまな圧縮方式が利用可能である。
【００６１】
同様に、入力された音声データは、音声符号化部１０２で圧縮符号化され、データ多重化部１０５へ出力される。音声符号化には、ＩＳＯ／ＩＥＣ  １３８１８−７（ＭＰＥＧ−２  ＡＡＣ）、ＩＳＯ／ＩＥＣ  １４４９６−３（ＭＰＥＧ−４  Ａｕｄｉｏ）など、さまざまな圧縮方式が利用可能である。
【００６２】
さらに、視聴環境制御データ入力部１０４で入力された視聴環境制御データは、視聴環境制御データ符号化部１０３で圧縮符号化され、データ多重化部１０５へ出力される。なお、視聴環境制御データの詳細は後述する。視聴環境制御データの記述方法としては、例えば、ＸＭＬ（Ｅｘｔｅｎｓｉｂｌｅ  Ｍａｒｋｕｐ  Ｌａｎｇｕａｇｅ）形式などが用いられる。また、視聴環境制御データの圧縮方式には、ＩＳＯ／ＩＥＣ  １５９３８−１（ＭＰＥＧ−７  Ｓｙｓｔｅｍｓ）におけるＢｉＭ（Ｂｉｎａｒｙ  ｆｏｒｍａｔ  ｆｏｒ  ＭＰＥＧ−７）方式などが利用可能である。あるいは、圧縮せずにＸＭＬ形式のまま出力するようにしてもよい。
【００６３】
符号化された映像データ、音声データ、および視聴環境制御データは、データ多重化部１０５で多重化され、送信部１０６を介して、伝送または蓄積される。多重化方式としては、例えば、ＩＳＯ／ＩＥＣ  １３８１８−１（ＭＰＥＧ−２  Ｓｙｓｔｅｍｓ）におけるＭＰＥＧ−２トランスポートストリームパケット（ＴＳＰ）、ＩＰパケット、ＲＴＰパケット等を用いることができる。
例えば、ＭＰＥＧ−２で規定されたトランスポートストリームパケット（ＴＳＰ）を用いる場合、ＭＰＥＧ−２で規定された情報が記述されたヘッダに続けて、拡張ヘッダ部分に視聴環境制御データを記述し、さらに、拡張ヘッダに続くペイロードで映像データ及び音声データを伝送することが可能である。あるいは、映像データや音声データと同様に、視聴環境制御データをペイロードで伝送するようにしてもよい。また、映像データ、音声データ、視聴環境制御データのそれぞれの異なるデータストリームを多重して伝送するようにしてもよい。
【００６４】
上記では、映像、音声、及び視聴環境制御データを多重化し送信する構成としたが、映像／音声多重化データと視聴環境制御データとを異なるネットワークで送信する構成としてもよい。例えば、映像／音声多重化データは放送データとして送信し、視聴環境制御データはインターネットへ送信する場合が挙げられる。
【００６５】
図２は、図１のデータ送信装置において視聴環境制御データを映像／音声多重化データとは異なるネットワークで送信する場合の概略構成を示した図である。図２において、図１と同機能のブロックには同じ符号を付している。
視聴環境制御データ符号化部１０３で符号化された視聴環境制御データは、視聴環境制御データ送信部１４０１より視聴環境制御データサーバー１４０２を介して蓄積部１４０３に蓄積される。なお、視聴環境制御データ送信部１４０１より視聴環境制御データを識別するためのＵＲＬ（Ｕｎｉｆｏｒｍ  Ｒｅｓｏｕｒｃｅ  Ｌｏｃａｔｏｒ）をデータ多重化部１０５に通知し、映像／音声データとともに多重化して送信することにより、データ受信装置側は、この識別情報としてのＵＲＬに基づいて、視聴環境制御データサーバー１４０２から視聴環境制御データを取得できるため、映像／音声多重化データと視聴環境制御データとをリンクさせることができる。視聴環境制御データの送信は、映像／音声多重化データの送信と同時に行ってもよいし、外部（ユーザ等）の要求を受けて行ってもよい。
なお、視聴環境制御データを映像／音声多重化データと異なるネットワークで送信する場合に、視聴環境制御データと映像／音声多重化データとを関連づける識別情報としては、先述のＵＲＬに限らず、ＴＶ−Ａｎｙｔｉｍｅ規格におけるＣＲＩＤ（Ｃｏｎｔｅｎｔ  Ｒｅｆｅｒｅｎｃｅ  ＩＤ）、コンテンツ名など、映像／音声多重化データと視聴環境制御データとの対応関係が特定できる識別情報であればよい。
【００６６】
あるいは、視聴環境制御データのみ別の記録媒体に記録して配布するようにしてもよい。例えば、映像／音声データは、Ｂｌｕ−ｒａｙ  Ｄｉｓｃ、ＤＶＤなどの大容量記録媒体で配布し、視聴環境制御データは、小型半導体記録媒体等で配布する場合が挙げられる。この場合にも、複数のコンテンツを記録して配布する際には、映像／音声データと視聴環境制御データとの対応関係が特定できる識別情報が必要となる。
【００６７】
次に、視聴環境制御データ入力部１０４について説明する。図３は、視聴環境制御データ入力部１０４の内部構成を示す機能ブロック図である。視聴環境制御データ入力部１０４は、効果入力部２０１、プリファレンス入力部２０２、およびフォーマット部２０３から構成される。
図４は、効果入力部における記述内容の例を示す図であり、効果入力部２０１では、コンテンツに付加する効果種別、および条件（効果を示す値）が入力される。
例えば、照明効果の場合、図４に示すように、コンテンツ制作者またはコンテンツ提供者の推奨する視聴環境における照明の明るさ（単位：ｌｘ）や照明の色温度（単位：Ｋ）等が照明条件として指定される。なお、明るさの表現には、ルクス（ｌｘ）でなく、カンデラ（Ｃｄ）や、ルーメン（ｌｍ）等を用いてもよい。また、色の表現には、色温度でなく、ＸＹＺ表色系、ＲＧＢ表色系、ＹＣｂＣｒ表色系等を用いてもよい。
【００６８】
ここで、映像データは、各シーンの雰囲気や臨場感を照明光によって演出することが可能であり、照明装置に対する照明条件が有用な情報となっている。
例えば、視聴環境照明を制御することにより、現代・時代劇の各シーンの臨場感を向上させることができる。すなわち、現代ドラマの中で一般的に用いられる照明機器の光の色温度は、蛍光灯（昼白色）が約５０００Ｋ、蛍光灯（昼光色）が約６７００Ｋ、白熱電球が約２８００Ｋである。これに対して、時代劇の中で夜間の光源としてよく用いられる蝋燭の炎の色温度は約１８００〜２５００Ｋである。また、現代劇では照明強度が強く、時代劇においては照明強度が弱い傾向にある。
【００６９】
したがって、時代劇で夕暮れの屋内シーンを写し出している際に、照明の色温度が高く照明強度が強い環境の下での視聴では、臨場感が得られず、コンテンツ制作者またはコンテンツ提供者の意図に反する視聴環境下で視聴することになる。
このため、コンテンツ制作者またはコンテンツ提供者は、映像データや音声データを視聴する際に、コンテンツ視聴環境における周辺機器に対して、制作者の意図にあった適切な制御を行うための種々の周辺機器に対する条件を指定することが望ましく、この条件としては、実際に、コンテンツ制作者またはコンテンツ提供者が、映像データや音声データを視聴し、例えば、各シーンにおける照明条件（明るさ、色温度）を指定していくことで作成が可能である。あるいは、映像データまたは映像符号化データを解析することによって、画面全体または画面周辺における平均輝度や支配的な色を自動抽出し、抽出した輝度情報や色情報に基づいて照明の明るさや色温度等の照明条件を決定するようにしてもよい。また、その際に、後述する制作者プリファレンスを合わせて指定していくとよい。
なお、図４には、効果種別として照明、風、温度が示されているが、これら以外にも振動であったり、香りであったり、コンテンツの再生と連動して視聴空間に一定の臨場感を与えるものであればどのようなものあっても良い。
【００７０】
また、視聴環境制御データは、映像データのフレーム単位やショット単位、或いはシーン単位で付加することができる。最低限、シーン単位で視聴環境制御データを付加すればよいが、フレーム単位で視聴環境制御データを付加した場合、より細やかな視聴環境の制御を行うことができる。例えば、映像制作者（脚本家や演出家など）の意図に応じて、特定のフレーム（シーン切替フレームなど）に対してのみ視聴環境制御データが付加されるようにしてもよい。
【００７１】
また、各ショット単位で視聴環境制御データを付加することにより、例えば同一シーン内であっても屋内と屋外のショットが含まれるような場合にも、適切な視聴環境照明の制御を実現することが可能となる。その他にも、映像データのランダムアクセスの単位となるＧＯＰ（Ｇｒｏｕｐ  ｏｆ  Ｐｉｃｔｕｒｅ）単位等で視聴環境制御データを付加するように構成してもよい。
【００７２】
プリファレンス入力部２０２では、効果入力部２０１で指定した照明条件（明るさや色温度の値）等を、厳密に再現することを推奨するか、あるいは所定の閾値で示される許容範囲をもたせるかを、コンテンツ制作者またはコンテンツ提供者のプリファレンス（好み）として入力する。
プリファレンスの記述内容の例としては、図５（Ａ）で示すように、例えば、指定値のみの再現を許可する“Ｓｔｒｉｃｔ”、指定値より小さい近似値での代用を許可する“Ｕｎｄｅｒ”、指定値より大きい近似値での代用を許可する“Ｏｖｅｒ”、指定値より小さいまたは指定値より大きい近似値での代用を許可する“Ｂｏｔｈ”の４種類の許容種別、および、図５（Ｂ）で示す、指定値に対する近似許容範囲をパーセンテージで表した許容範囲が挙げられる。
なお、プリファレンス入力部２０２で入力された内容（値）を制作者プリファレンスあるいは制作者プリファレンス情報と呼ぶこととする。したがって、視聴環境制御データには、コンテンツに付加する効果種別とその条件（効果を示す値であり、制御指示値となる。）と、制作者プリファレンスとが含まれる。
【００７３】
フォーマット部２０３では、効果入力部２０１、およびプリファレンス入力部２０２で入力された内容を所定のフォーマットにしたがって出力する。
【００７４】
図６（Ａ）は、制作者プリファレンスを含む照明効果用の視聴環境制御データをＸＭＬで記述した場合の例であり、図６（Ｂ）は、図６（Ａ）のＸＭＬ記述を模式的にツリー構造で示した図である。
図６では、コンテンツ全体の機器制御データ（Ｄｅｖｉｃｅ  Ｃｏｎｔｒｏｌ  Ｄｅｓｃｒｉｐｔｉｏｎ）として２つの照明制御データ（Ｄｅｖｉｃｅ  Ｃｏｎｔｒｏｌ  Ｄａｔａ：ｌｉｇｈｔ１、ｌｉｇｈｔ２）があり、それぞれ２つの制御データ（Ｃｏｎｔｒｏｌ  Ｄａｔａ（１）、Ｃｏｎｔｒｏｌ  Ｄａｔａ（２））が記述されている。ここで、Ｃｏｎｔｒｏｌ  Ｄａｔａ（１）とＣｏｎｔｒｏｌ  Ｄａｔａ（２）は、時系列に並んだ制御データであり、各Ｃｏｎｔｒｏｌ  Ｄａｔａには、図示しない時刻情報が付与される。
【００７５】
各ＣｏｎｔｒｏｌＤａｔａには、照明の明るさ、色温度、及び制作者プリファレンスが記述されている。例えば、ｌｉｇｈｔ１のＣｏｎｔｒｏｌＤａｔａ（２）は、明るさ２００（ｌｘ）、色温度３０００（Ｋ）であり、制作者プリファレンスとして、−１０％の許容範囲、すなわち、明るさが１８０〜２００（ｌｘ）、色温度が２７００〜３０００（Ｋ）の許容範囲を持たせている。
【００７６】
図７は、図６のＸＭＬ記述に対応するＸＭＬスキーマを示した図である。ここで、制作者プリファレンス（ＰｒｏｖｉｄｅｒＰｒｅｆｅｒｅｎｃｅ）は、ＣｏｎｔｒｏｌＤａｔａ要素（ｅｌｅｍｅｎｔ）の属性（ａｔｔｒｉｂｕｔｅ）として定義されるが、必ずしもこれに限定される必要はなく、例えば、ＣｏｎｔｒｏｌＤａｔａ要素に対する子要素（ｃｈｉｌｄ  ｅｌｅｍｅｎｔ）として定義してもよい。
【００７７】
このように、照明、風、温度など、コンテンツに付加する効果と、その効果に対するコンテンツ制作者またはコンテンツ提供者のプリファレンスとを視聴環境制御データに付加することにより、視聴環境における周辺機器の仕様（照明機器の場合、明るさや色温度のサポート範囲）が指定条件と合わない場合でも、制作者の意図にあった制御を行うことができ、臨場感のあるコンテンツ視聴を提供することができる。
【００７８】
（データ受信装置）
次に、データ受信装置について説明する。図８は、本発明の一実施態様に係るデータ受信装置の概略構成を示す機能ブロック図である。
データ受信装置は、受信部７０１、データ分離部７０２、映像復号部７０３、音声復号部７０４、視聴環境制御データ復号部７０５、映像再生部７０６、音声再生部７０７、機器制御部７０８、および制御対象機器の一例としての照明装置７０９から構成される。
【００７９】
受信部７０１で受信した映像、音声、視聴環境制御データを含む多重化データ（例えば、ＭＰＥＧ−２トランスポートストリーム）は、データ分離部７０２で映像符号化データ、音声符号化データ、視聴環境制御データに分離され、それぞれ映像復号部７０３、音声復号部７０４、視聴環境制御データ復号部７０５に出力される。
映像符号化データは、映像復号部７０３で復号され、映像再生部７０６で再生される。音声符号化データは、音声復号部７０４で復号され、音声再生部７０７で再生される。また、視聴環境制御データは、視聴環境制御データ復号部７０５で復号され、機器制御部７０８に出力される。
【００８０】
機器制御部７０８は、入力された視聴環境制御データ記述内容にしたがって照明装置７０９を制御する。なお、本実施態様では、機器制御部７０８の制御対象機器として、照明装置７０９のみしか記載していないが、扇風機、エアコン、振動装置、香り発生装置なども制御対象となりうる。
【００８１】
上記では、映像、音声、及び視聴環境制御データが多重化されたデータを受信する構成としたが、映像／音声多重化データと視聴環境制御データとを異なるネットワークから受信する構成としてもよい。例えば、映像／音声多重化データは放送データから受信し、視聴環境制御データはインターネットから受信する場合などが挙げられる。
【００８２】
図９は、図８に示したデータ受信装置において、視聴環境制御データを映像／音声多重化データとは異なるネットワークから受信する場合の概略構成を示した図である。図８に示したデータ受信装置および図２で示したデータ送信装置と同機能のブロックには同じ符号を付している。
なお、図９で示したデータ受信装置は、図２で示したデータ送信装置と対応するものである。
視聴環境制御データ受信部１５０１は、視聴環境制御データサーバー１４０２を介して蓄積部１４０３に蓄積されている視聴環境制御データを受信し、視聴環境制御データ復号部７０５に出力する。なお、視聴環境制御データ受信部１５０１は、例えば、データ分離部７０２から、先述したように、映像／音声データとともに多重化されている視聴環境制御データを識別するためのＵＲＬ（Ｕｎｉｆｏｒｍ  Ｒｅｓｏｕｒｃｅ  Ｌｏｃａｔｏｒ）を取得し、このＵＲＬに基づいて視聴環境制御データサーバー１４０２から視聴環境制御データを取得することにより、映像／音声多重化データと視聴環境制御データとをリンクさせることができる。視聴環境制御データの受信は、データ分離部７０２から該視聴環境制御データを識別するためのＵＲＬを取得したタイミングで行ってもよいし、ユーザの要求に基づいて行ってもよい。
【００８３】
なお、視聴環境制御データと映像／音声多重化データとを関連づける識別情報としては、上記ＵＲＬに限らない点は、先述したとおりである。
また、視聴環境制御データのみ別の記録媒体から取得するようにしてもよい。例えば、映像／音声データは、Ｂｌｕ−ｒａｙ  Ｄｉｓｃ、ＤＶＤなどの大容量記録媒体より取得し、視聴環境制御データは、コンパクトフラッシュ（登録商標）、ＳＤカード等の小型半導体記録媒体等から取得する場合が挙げられる。
【００８４】
次に、機器制御部７０８について説明する。図１０は、機器制御部７０８の内部構成を示す機能ブロック図であり、説明の都合上、照明装置７０９も記載している。
機器制御部７０８は、解析部（パーサ）８０１、効果抽出部８０２、プリファレンス抽出部８０３、機器能力取得部８０４、制御値決定部８０５、及びコマンド発行部８０６から構成される。
視聴環境制御データ復号部７０５より出力された照明制御のための視聴環境制御データ（図６）は、解析部８０１で構文解析され、照明の明るさや色温度などの照明条件を示す情報が効果抽出部８０２へ、また、プリファレンスを示す情報がプリファレンス抽出部８０３へ出力される。
【００８５】
図１１は、機器制御部７０８の動作を説明するためのフローチャートであり、以下に各ステップの処理内容に基づいて説明する。
まず、解析部８０１は、視聴環境制御データ復号部７０５より出力された視聴環境制御データを構文解析し、効果抽出部８０２が視聴環境制御データのうち、照明条件の指定値（明るさ、色温度等）を取得する（ステップＳ９１）。他方、機器能力取得部８０４は、照明装置７０９の機器能力の値（サポート範囲）を取得する（ステップＳ９２）。
次に、制御値決定部８０５は、照明条件の指定値と照明装置のサポート範囲との比較を行う（ステップＳ９３）。そして、指定値がサポート範囲内にある場合は、ステップＳ９４へ進み、コマンド発行部８０６は、指定値により指定された明るさおよび色温度で照明をＯＮとするコマンドを照明装置７０９に発行し、処理を終了する。
【００８６】
ステップＳ９３で指定値がサポート範囲外の場合は、ステップＳ９５へ進み、プリファレンス抽出部８０３が、解析部８０１が構文解析した視聴環境制御データのうち、制作者プリファレンス（許容種別および許容範囲）を取得する。次に、ステップＳ９６へ進み、制御値決定部８０５が、プリファレンスより導かれる照明条件の許容範囲と、ステップＳ９２で取得した照明装置のサポート範囲の比較を行う。そして、許容範囲内でサポート可能な場合は、ステップＳ９８へ進み、制御値決定部８０５は、照明装置のサポート範囲内で最も指定値に近い近似値を決定し、コマンド発行部８０６へ近似値を伝える。コマンド発行部８０６は、近似値での照明をＯＮとするコマンドを照明装置７０９に発行する（ステップＳ９９）。
また、ステップＳ９６では、プリファレンスで導かれた許容範囲内でもサポートが不可能な場合は、ステップＳ９７へ進み、コマンド発行部８０６は、照明のためのコマンドを照明装置に対して発行せずに（ステップＳ９７）、照明ＯＦＦのまま処理を終了する。
【００８７】
ここで、仕様の異なる３種類の照明装置Ａ、Ｂ、Ｃを各ユーザが有している場合における制作者プリファレンスの適用例について、図１２を用いて説明する。
コンテンツ制作者の照明条件指定値は、明るさ３００（ｌｘ）であり、プリファレンスは“Ｕｎｄｅｒ”１０％、すなわち、許容範囲は２７０〜３００（ｌｘ）とする。
照明装置Ａは、明るさのサポート範囲が２９０〜３４０（ｌｘ）なので、指定値３００（ｌｘ）での照明ＯＮが可能である。
また、照明装置Ｂは、明るさのサポート範囲が２３０〜２８０（ｌｘ）であり、指定値３００（ｌｘ）のサポートはしていないが、プリファレンスより導かれる許容範囲内（２７０〜３００（ｌｘ））の一部（２７０〜２８０（ｌｘ））はサポートしているので、例えば、指定値に最も近い２８０（ｌｘ）で照明をＯＮにすることができる。
次に、照明装置Ｃは、サポート範囲が３６０〜４１０（ｌｘ）であり、指定値３００（ｌｘ）のサポートはしていない。さらに、プリファレンスより導かれる許容範囲内もサポートしていないので、照明をＯＦＦにする。
【００８８】
データ受信装置に接続された照明装置７０９としては、所定の色相をもった例えばＲＧＢの三原色の光を発光するＬＥＤにより構成することができる。ただし、照明装置７０９は、映像表示装置の周囲環境の照明色及び明るさを制御できるような構成であればよく、上記のような所定色を発光するＬＥＤの組合せに限ることなく、白色ＬＥＤと色フィルタとによって構成してもよく、あるいは白色電球や蛍光管とカラーフィルタとの組合せやカラーランプ等を適用することもできる。また、照明装置７０９は１個以上設置されていればよい。
また、コマンド発行部８０６は、制御値決定部８０５からの照明条件の指定値（明るさ、色温度等）に応じたＲＧＢデータを生成して、照明装置７０９に出力できるものであればよい。
【００８９】
このように、照明装置が、指定された照明条件を満たさない場合に、プリファレンスに応じて、近似値での照明ＯＮ／ＯＦＦを制御することにより、制作者の意図にあった照明制御を適切に行うことができる。
【００９０】
（実施態様２）
（データ送信装置）
本実施態様におけるデータ送信装置の概略構成は、実施態様１における図１、図２、及び図３と同様である。本実施態様では、視聴環境制御データ入力部１０４の動作が実施態様１と異なっている。
図１３（Ａ）は、制作者プリファレンスを含む照明効果用の視聴環境制御データをＸＭＬで記述した場合の例であり、図１３（Ｂ）は、図１３（Ａ）のＸＭＬ記述を模式的にツリー構造で示した図である。
図１３では、実施態様１と異なり、制御データ（ＣｏｎｔｒｏｌＤａｔａ）だけでなく、コンテンツ全体の機器制御データ（ＤｅｖｉｃｅＣｏｎｔｒｏｌＤｅｓｃｒｉｐｔｉｏｎ）や照明制御データ（ＤｅｖｉｃｅＣｏｎｔｒｏｌＤａｔａ：ｌｉｇｈｔ１、ｌｉｇｈｔ２）など、複数の階層に亘ってプリファレンスの記述が可能な構成となっている。また、プリファレンスの記述は必須ではなく、仮に記述されていない場合には、上位階層（親要素）のプリファレンスが参照される。また、最上位階層まで遡って参照しても記述がない場合には、あらかじめデフォルトとして定められたプリファレンス（例えば、許容種別“Ｂｏｔｈ”、許容範囲１０％など）が用いられる。
【００９１】
図１４は、図１３で示したＸＭＬ記述に対応するＸＭＬスキーマを示した図である。ここで、プリファレンス（ＰｒｏｖｉｄｅｒＰｒｅｆｅｒｅｎｃｅ）は、ＤｅｖｉｃｅＣｏｎｔｒｏｌＤｅｓｃｒｉｐｔｉｏｎ要素、ＤｅｖｉｃｅＣｏｎｔｒｏｌＤａｔａ要素、及びＣｏｎｔｒｏｌＤａｔａ要素の属性として定義されるが、必ずしもこれに限定される必要はなく、例えば、各要素に対する子要素として定義してもよい。
【００９２】
このように、照明、風、温度など、コンテンツに付加する効果と、その効果に対するコンテンツ制作者またはコンテンツ提供者のプリファレンスとを視聴環境制御データに付加することにより、視聴環境における周辺機器の仕様（照明機器の場合、明るさや色温度のサポート範囲）が指定条件と合わない場合でも、制作者の意図にあった制御を行うことができ、臨場感のあるコンテンツ視聴を提供することができる。さらに、制作者プリファレンスを、上位要素にまとめて付加したり、必要な要素にのみ付加することにより、不必要にデータ量が増大するといった問題や、制作者プリファレンスを付加する側の負担が増大するといった問題を回避することができる。
【００９３】
（データ受信装置）
本実施態様２におけるデータ受信装置の概略構成は、図８、図９、及び図１０と同様である。機器制御部７０８の動作が実施態様１と異なる。
本実施態様では、図１１に示したフローチャートにおける、プリファレンス取得のためのステップＳ９５の動作が実施態様１と異なり、その動作は、図１５に示す通りである。
【００９４】
図１１のステップＳ９３で指定値がサポート範囲外の場合は、図１５のステップＳ１３１へ移り、解析部８０１、およびプリファレンス抽出部８０３で、当該要素にプリファレンスが記述されているか否かを判定する。そして、プリファレンスが記述されている場合は、図１１のステップＳ９６へ進み、以降の処理を行う。
また、ステップＳ１３１で、当該要素にプリファレンスが記述されていない場合は、解析部８０１で、当該要素に対する上位（親）要素があるか否かを判定し（ステップＳ１３２）、ある場合は、上位（親）要素に移動し（ステップＳ１３４）、さらにステップＳ１３１へ進む。
また、ステップＳ１３２で上位要素がない場合は、ステップＳ１３３へ進み、制御値決定部８０５では、あらかじめ定められたプリファレンスを用いることで、図１１のステップＳ９６へ進み、以降の処理を行う。
【００９５】
図１３に示した例では、ｌｉｇｈｔ１のＣｏｎｔｒｏｌＤａｔａ（１）は、プリファレンスとして＋５％の許容範囲を有しているため、このプリファレンスが用いられるが、ｌｉｇｈｔ１のＣｏｎｔｒｏｌＤａｔａ（２）はプリファレンスを有していないため、その上位階層のＤｅｖｉｃｅＣｏｎｔｒｏｌＤａｔａ（ｌｉｇｈｔ１）のプリファレンスである、指定値のみの再現を許可する“Ｓｔｒｉｃｔ”が適用される。また、ｌｉｇｈｔ２のＣｏｎｔｒｏｌＤａｔａ（２）はプリファレンスを有しておらず、その上位階層のＤｅｖｉｃｅＣｏｎｔｒｏｌＤａｔａ（ｌｉｇｈｔ２）もプリファレンスを有していないため、さらに上位層のＤｅｖｉｃｅＣｏｎｔｒｏｌＤｅｓｃｒｉｐｔｉｏｎのプリファレンス（許容種別“Ｂｏｔｈ”、許容範囲１０％）が適用される。
【００９６】
このように、照明装置が、指定された照明条件を満たさない場合に、プリファレンスに応じて、近似値での照明ＯＮ／ＯＦＦを制御することにより、制作者の意図にあった照明制御を適切に行うことができる。
【００９７】
（実施態様３）
実施態様１及び２では、照明制御単位に作用するプリファレンスの例を示したが、さらに視聴環境制御データ全体に作用する第２のプリファレンスを記述してもよい。すなわち、ある照明の制御条件が満たされなかったときに、そのコンテンツにおける該照明の制御すべてを不許可（条件の満たされた該照明の制御も不許可）にするか、条件の満たされなかった該照明の制御のみ不許可（条件の満たされた該照明の制御は許可）にするかを選択する不許可種別フラグを記述するようにしてもよい。
なお、上記不許可種別フラグは、コンテンツにおける各制御データとまとめて一括で送受信してもよいし、実際の制御データに先立って送受信するようにしてもよい。
【００９８】
図１６（Ａ）は、上記不許可種別フラグ（ＰｅｒｍｉｓｓｉｏｎＦｌａｇ）を含む照明効果用の視聴環境制御データをＸＭＬで記述した場合の例である。図１６（Ｂ）は、図１６（Ａ）のＸＭＬ記述を模式的にツリー構造で示した図である。ＰｅｒｍｉｓｓｉｏｎＦｌａｇ＝“１”は、前者（ある照明の制御条件が満たされなかったときに、そのコンテンツにおける該照明の制御すべてを不許可にすること）を意味する。すなわち、ｌｉｇｈｔ１に関する照明制御データのうち１つでも条件を満たさない制御データがあれば、ｌｉｇｈｔ１のすべての制御を不許可にする。一方、ＰｅｒｍｉｓｓｉｏｎＦｌａｇ＝“０”は、後者（条件の満たされなかった該照明の制御のみ不許可にすること）を意味する。すなわち、ｌｉｇｈｔ２に関する照明制御データのうち条件を満たさない制御データがあったとしても、ｌｉｇｈｔ２のすべての制御を不許可にするのではなく、条件を満たさなかったｌｉｇｈｔ２の制御のみを不許可にする。ＰｅｒｍｉｓｓｉｏｎＦｌａｇ＝“０”の場合は、同時に、制作者のプリファレンスとして、ＰｅｒｍｉｓｓｉｏｎＴｙｐｅ（実施例１または実施例２におけるＰｅｒｍｉｓｓｉｏｎ属性と同等）、ＰｅｒｍｉｓｓｉｏｎＲａｎｇｅ（実施例１または実施例２におけるＲａｎｇｅ属性と同等）を記述するようにしてもよい。
【００９９】
図１７は、図１６で示したＸＭＬ記述に対するＸＭＬスキーマを示した図である。ここで、ＰｅｒｍｉｓｓｉｏｎＦｌａｇ，ＰｅｒｍｉｓｓｉｏｎＴｙｐｅ，ＰｅｒｍｉｓｓｉｏｎＲａｎｇｅは、Ｃｏｎｄｉｔｉｏｎ要素の子要素として定義されるが、必ずしもこれに限定される必要はなく、例えば、Ｃｏｎｄｉｔｉｏｎ要素の属性として定義してもよい。
あるいは、メタデータのルート要素（ＥｆｆｅｃｔＤｅｓｃｒｉｐｔｉｏｎ、ＤｅｖｉｃｅＣｏｎｔｒｏｌＤｅｓｃｒｉｐｔｉｏｎ等）の属性あるいは子要素として記述してもよい。
【０１００】
このように、照明装置が、指定された照明条件を満たさない場合に、制作者の意図（第２のプリファレンス）に応じて、コンテンツ全体の照明制御をＯＦＦにすることもできるので、あるシーンでは照明がＯＮされ、あるシーンでは照明がＯＦＦされるなどコンテンツ全体を通して照明がちぐはぐになり、制作者の意図に反して、かえって臨場感を損なうといった問題を回避することができる。
【０１０１】
（実施態様４）
実施態様１から３において、明るさ（ｌｘ）、色温度（Ｋ）、風速（ｍ／ｓ）、温度（℃）などの制御指定値に対する制作者プリファレンスの適用例を示したが、制御指定値が所定の方法に従って量子化されている場合の適用例を説明する。
量子化された色温度値（色温度の量子化インデックス）に対する制作者プリファレンスの適用方法について図面を参照しながら説明する。
図１８は、色温度値の量子化の一例を示した図である。色温度範囲１６６７（Ｋ）〜２５０００（Ｋ）を４つのカテゴリ（Ｈｏｔ，Ｗａｒｍ，Ｍｏｄｅｒａｔｅ，Ｃｏｏｌ）に分類し（２ビット）、それぞれのカテゴリにおける色温度値が６ビットで量子化されている。
【０１０２】
量子化された色温度値（色温度の量子化インデックス）に対しては、以下の数式に従って、制作者プリファレンス（許容種別および許容範囲）を適用することができる。
Ｓｔｒｉｃｔ ：Ｍｉｎ（ｇ（ｉ））〜Ｍａｘ（ｇ（ｉ））
Ｕｎｄｅｒ   ：Ｍｉｎ（ｇ（ｉ））×（１−Ｒａｎｇｅ）〜Ｍａｘ（ｇ（ｉ））
Ｏｖｅｒ     ：Ｍｉｎ（ｇ（ｉ））〜Ｍａｘ（ｇ（ｉ））×（１＋Ｒａｎｇｅ）
Ｂｏｔｈ     ：Ｍｉｎ（ｇ（ｉ））×（１−Ｒａｎｇｅ）
〜Ｍａｘ（ｇ（ｉ））×（１＋Ｒａｎｇｅ）
ここで、
ｇ（  ）：逆量子化関数
ｉ：量子化インデックス
Ｒａｎｇｅ：制作者プリファレンスにおける許容範囲（％）
Ｍｉｎ（  ）：最小値
Ｍａｘ（  ）：最大値
である。
【０１０３】
制御指定値として、量子化インデックス値＝“０１００００００（２進数）”、すなわち、２２５１（Ｋ）以上２２６７（Ｋ）未満が指定されている場合を例に、制作者プリファレンスの適用を説明する。
制作者プリファレンスの許容種別が“Ｓｔｒｉｃｔ”の場合、量子化インデックスの示す色温度値、すなわち２２５１（Ｋ）以上２２６７（Ｋ）未満での制御を許容する。
制作者プリファレンスの許容種別が“Ｕｎｄｅｒ”で、許容範囲が“１０％”の場合、量子化インデックスの示す色温度値から−１０％〜±０％、すなわち、２０２６（Ｋ）以上２２６７（Ｋ）未満での制御を許容する。
制作者プリファレンスの許容種別が“Ｏｖｅｒ”で、許容範囲が“１０％”の場合、量子化インデックスの示す色温度値から±０％〜＋１０％、すなわち、２２５１（Ｋ）以上２４９４（Ｋ）未満での制御を許容する。
制作者プリファレンスの許容種別が“Ｂｏｔｈ”で、許容範囲が“１０％”の場合、量子化インデックスの示す色温度値から−１０％〜＋１０％、すなわち、２０２６（Ｋ）以上２４９４（Ｋ）未満での制御を許容する。
【０１０４】
あるいは、制作者プリファレンスの許容範囲を、最大量子化インデックス値を１００％としたときの割合としてもよい。例えば、ｎビットで量子化されている場合の量子化インデックス値の許容範囲はそれぞれ、
Ｓｔｒｉｃｔ ：±０
Ｕｎｄｅｒ   ：−Ｒａｎｇｅ×２ｎ〜±０
Ｏｖｅｒ     ：±０〜＋Ｒａｎｇｅ×２ｎ
Ｂｏｔｈ     ：−Ｒａｎｇｅ×２ｎ〜＋Ｒａｎｇｅ×２ｎ
である。
【０１０５】
あるいは、許容範囲を割合ではなく、量子化インデックス値の最大差分値で記述してもよい。
Ｓｔｒｉｃｔ ：±０
Ｕｎｄｅｒ   ：−Ｒａｎｇｅ〜±０
Ｏｖｅｒ     ：±０〜＋Ｒａｎｇｅ
Ｂｏｔｈ     ：−Ｒａｎｇｅ〜＋Ｒａｎｇｅ
【０１０６】
なお、上記では、照明の色温度値に対して制作者プリファレンスを適用する構成としたが、照明の条件がＲＧＢ値等で指定されている場合、所定の変換式にしたがって求めた相関色温値に対して適用したり、輝度であれば、指定されたＲＧＢ値から求めた近似値に対して適用してもよい。
例えば、以下のように、ＲＧＢ表色系からＸＹＺ表色系に変換し、色度座標（ｘ，ｙ）を求め、所定の関数ｆで近似することにより相関色温度Ｔを求めることができる。
【０１０７】
【数１】
2010007987.tif 000003
【０１０８】
また、本発明は、照明装置への適用に限定するものではなく、扇風機、エアコンなど、種々の周辺機器に適用可能である。
図１９は、風速値の量子化の一例を示した図である。風速を１３カテゴリに分類し、４ビットで量子化されている。この場合も、色温度の場合と同様に制作者プリファレンスを適用できる。なお、制御指定値としては、風速（ｍ／ｓ）に限らず、扇風機の回転数（ｒｐｍ）等であってもよい。また、量子化ビット数も上記に限定されるものではない。
【０１０９】
（実施態様５）
実施態様１から４では、コンテンツ制作者あるいはコンテンツ提供者のコンテンツの付加効果に対する制作者プリファレンス（効果再生に関する許容値など）と、その利用方法について述べた。本実施の形態では、コンテンツ付加効果を享受するユーザのプリファレンスと、制作者プリファレンスを有するコンテンツでのユーザプリファレンスの利用について示す。
【０１１０】
ここで、ユーザプリファレンスとは、ユーザの嗜好を記述したもので、通常、ユーザの属性情報や、好みのコンテンツのジャンルやキーワード、あるいは機器の操作方法などを記述する。ユーザプリファレンスの利用により、蓄積されたコンテンツの中から好みのジャンルのみを抽出したり、よく行う一連の機器操作をワンボタンで実行可能とするなど、ＡＶ機器のパーソナライズに利用できる。本実施態様において、ユーザプリファレンスには、前記のような嗜好情報に加えて、コンテンツの付加効果の動作についての好みを記述する。
【０１１１】
コンテンツの付加効果とは、既に述べたように、コンテンツ視聴時の臨場感を高めるための効果のことで、照明制御や香り効果や振動効果の制御などである。これらの付加効果は高臨場感の演出には効果がある。しかしながら、ユーザの視聴環境条件、例えば、深夜の視聴において、振動効果は他人の迷惑になるなどの理由により、ユーザがその効果の実行を望まない場合、コンテンツ再生の度に、各効果の実行をオフに設定するか、あるいは、再生機器と付加効果を演出する制御対象機器（例えば照明装置や振動装置など）とを接続しないなどの手段を講じる必要がある。このため、ユーザプリファレンスとしてユーザプリファレンスデータに各効果の実行条件を記述しておき、機器が解釈することで、ユーザの手間を軽減させることができ、視聴環境や好みに応じた臨場感を享受することができる。
【０１１２】
コンテンツの付加効果に対するユーザプリファレンスには、対象の付加効果に対する実行条件を記述する。図２０は各付加効果に対する実行条件を記述したユーザプリファレンスのデータ例である。
図２０に示すように、付加効果の再生に関するユーザプリファレンスは、対象効果、動作可否、制限タイプ、制限値のフィールドで構成される。対象効果フィールドには、照明など再生を制御することを望む付加効果が記述される。動作可否フィールドには、対象効果フィールドで記述された付加効果の再生可否が、ＴＲＵＥあるいはＦＡＬＳＥで記述される。
【０１１３】
該フィールドの値がＦＡＬＳＥであれば、付加効果をオフにする。ＴＲＵＥであれば、実行に制限があることを示す。この制限は、制限タイプフィールドと制限値フィールドとに記述される。制限タイプフィールドは、制限値フィールドの記述方法を識別子で指定する。この識別子は、制限値フィールドの記述方法が識別できればよく、本実施態様においては、制御指定値に対するパーセンテージでの表記を示すＲａｎｇｅＯｆＲｅｎｄｅｒｉｎｇと、制御指定値に対する差分値での表記を示すＤｉｆｆｅｒｅｎｃｅＶａｌｕｅを用いる。
【０１１４】
制限タイプフィールドが、ＲａｎｇｅＯｆＲｅｎｄｅｒｉｎｇである場合、制限値フィールドは、制御指定値に対するパーセンテージ表記であることを意味し、ＤｉｆｆｅｒｅｎｃｅＶａｌｕｅである場合には、制限値フィールドは、制御指定値に対する差分の値であることを意味する。
動作可否フィールドは、付加効果の再生がオフなのかあるいは制限つきなのであるか判別ができれば、ＴＲＵＥ及びＦＡＬＳＥである必要はなく、１と０の組合せなどでもよい。
【０１１５】
図２０においては、１６０１は、効果対象フィールドが香り効果を示し、動作可否フィールドがＦＡＬＳＥであるため、再生コンテンツの付加効果に香り効果が含まれていた場合は、この香り効果は実行されない。１６０２は、効果対象フィールドが振動である制御であり、動作可否フィールドがＴＲＵＥであり、制限タイプフィールドがＲａｎｇｅＯｆＲｅｎｄｅｒｉｎｇであるため、制限値フィールドはパーセンテージの表示であることを示している。すなわち、制御指定値での１０％で再生することを示す。なお、制御指定値を超えた値で再生する場合、１００％以上の値を設定することにより再生が可能である。
【０１１６】
１６０３は、効果対象フィールドが照明である制御であり、動作可否フィールドがＴＲＵＥであるため、再生に制限が生じる。制限タイプフィールドがＤｉｆｆｅｒｎｃｅＶａｌｕｅであるため、制限値フィールドは制御指定値の差分表記である。制限値フィールドの値は−５０であるから、照明はコンテンツで指定されている制御指定値よりも５０［ｌｘ］小さい値で再生される。このとき、制限値フィールドの単位は、付加効果ごとによって決定される。例えば、照明の場合はルクス（ｌｘ）、オーディオの場合はデシベル（ｄｂ）などである。
【０１１７】
このように、本発明における付加効果に対するユーザプリファレンスでは、対象となる効果とその動作を記述する。なお、ユーザプリファレンスに記述されていない（制限されていない）付加効果は、制御指定値のまま実行される。
【０１１８】
以下に、ユーザプリファレンスを利用した受信装置に関して説明する。図２１は、図８に示したデータ受信装置が、ユーザのプリファレンスを利用して動作するために、ユーザプリファレンス管理部１７０１と、ユーザプリファレンスを加味して動作可能となるように、機能を拡張した機器制御部１７０２を有するデータ受信装置である。また、制御対象機器として、振動装置１７０３を追加している。なお、図２１において、図８で示したデータ受信装置と同様の機能を有するものには共通の符号を付している。
【０１１９】
本実施の形態において、ユーザプリファレンス管理部１７０１には、あらかじめ、ユーザが設定した付加効果に対する制御記述を含むユーザプリファレンスが蓄積されているものとする。ユーザプリファレンス管理部１７０１の例として、データ受信装置に付属しているハードディスクやＢｌｕ−Ｒａｙ  Ｄｉｓｃに代表される大容量記録媒体や、ＳＤカードやスマートカードなどの小型半導体記録媒体などが利用できる。
【０１２０】
図８で示したデータ受信装置と同様に、図２１で示すデータ受信装置においては、受信部７０１で受信した映像、音声、視聴環境制御データを含む多重化データは、データ分離部７０２で映像符号化データ、音声符号化データ、視聴環境制御データの各データに分離され、それぞれ映像復号部７０３、音声復号部７０４、視聴環境制御データ復号部７０５に出力される。映像符号化データは、映像復号部７０３で復号され、映像再生部７０６で再生される。音声符号化データは、音声復号部７０４で復号され、音声再生部７０７で再生される。また、視聴環境制御データは、視聴環境制御データ復号部７０５で復号され、機器制御部１７０２に出力される。ここで、機器制御部１７０２は、入力された視聴環境制御データ記述内容を解析するとともに、ユーザプリファレンス管理部１７０１より、ユーザプリファレンスを取得する。
【０１２１】
機器制御部１７０２は、取得したユーザプリファレンスと解析された視聴環境制御データ記述内容を比較し、制御対象機器の制御可否および制御値を決定する。制御可と決定された場合、決定された制御値を、対象の付加効果が照明であれば照明装置７０９へ、振動効果であれば振動装置１７０３へ、出力し制御する。
【０１２２】
本実施態様において、図２１で示すデータ受信装置は、機器制御部１７０２の制御対象機器として、照明装置７０９と振動装置１７０３を記載しているが、扇風機、エアコン、香り発生装置なども制御対象となりうる。また、図２１で示すデータ受信装置では、映像、音声、視聴環境制御データが多重化されたデータを入力する構成としたが、映像／音声多重化データと視聴環境制御データとを別々の経路より入力する構成としてもよい。
【０１２３】
ここで、機器制御部１７０２について説明する。図２２は、機器制御部１７０２の内部構成を示す機能ブロック図であり、説明の都合上、照明装置７０９、振動装置１７０３も記載している。
機器制御部１７０２は、解析部（パーサ）８０１、効果抽出部８０２、制御値決定部１８０２、コマンド発行部８０６、及びユーザプリファレンス取得部１８０１から構成される。なお、図８で示す機器制御部７０８と同様の機能を有するものには、共通の符号を付している。
【０１２４】
図２３は、機器制御部１７０２の動作を説明するためのフローチャートであり、以下に各ステップの処理内容に基づいて説明する。
まず、解析部８０１は、視聴環境制御データ復号部７０５より出力された視聴環境制御データを構文解析し、効果抽出部８０２が視聴環境制御データのうち、コンテンツに付属の付加効果とその制御指定値（明るさや色温度、振動の強さ）を取得する（ステップＳ１９０１）。
次に、ステップＳ１９０２へ進み、ユーザプリファレンス取得部１８０１が、ユーザプリファレンス管理部１７０１からユーザプリファレンスを取得する。
【０１２５】
制御値決定部１８０２は、取得された付加効果がユーザプリファレンス記述の付加効果のエントリに含まれているかどうか、つまり付加効果への制限が存在しているかどうかの判断を行う（ステップＳ１９０３）。
そして、ユーザプリファレンスに対象の付加効果のエントリが存在しない場合は、ステップＳ１９０７へ進み、ユーザプリファレンスに記述がないため、コマンド発行部８０６は、付加効果の制御指定値で、制御対象機器をＯＮとするコマンドを発行する。
ステップＳ１９０３でユーザプリファレンスに対象の付加効果のエントリが存在する場合は、ステップＳ１９０４へ進み、再生対象の付加効果のユーザプリファレンスでの動作可否フィールドをチェックする。ここで、動作可否フィールドがＦＡＬＳＥ（付加効果の再生を行わない）であれば、ステップＳ１９０８へ進み、コマンド発行部８０６は、付加効果制御を行わないため、コマンドを発行しない。
【０１２６】
ステップＳ１９０４で動作可否フィールドがＴＲＵＥであれば、ステップＳ１９０５へ進み、制御値決定部１８０２は、付加効果制御のための制御値を算出する。ここで、制御値決定部１８０２は、ユーザプリファレンスに付加効果の制御値が記述されている場合、ステップＳ１９０１で抽出された制御指定値に対して、ユーザプリファレンスに含まれる制御値フィールドに基づいて、制御値を算出する。また、ユーザプリファレンスに付加効果への制御値が記述されていない場合には、ステップＳ１９０１で抽出された制御指定値を用いる。
ステップＳ１９０６では、コマンド発行部８０６は、制御値決定部１８０２が算出した制御値（明るさおよび色温度、あるいは振動の強さ）で制御対象機器をＯＮとするコマンドを、制御対象機器（照明装置７０９あるいは振動装置１７０３）に発行する。
機器制御部１７０２は、上記処理を、コンテンツに含まれている全ての付加効果について行う。
【０１２７】
図２４は、ユーザプリファレンスの適用例を説明するための図である。
図２４（Ａ）では、コンテンツに振動と照明の付加効果に関する制御指定値２００１が付加されている。これはコンテンツの再生に合わせて、振動と照明の付加効果（場面に合わせて振動したり、映像効果に合わせて照明が点灯したり）が実行されることを示している。一方、再生するユーザにおいては、コンテンツの付加効果の実行を制御するユーザプリファレンス２００２を有している。ユーザプリファレンス２００２では、振動の付加効果は実行しないことを記述している。この場合、コンテンツの付加効果に含まれる振動効果に対する制限のため、再生機器は照明効果のみを実行する。
【０１２８】
一方、図２４（Ｂ）では、ユーザプリファレンス２００３として、振動効果を５０％に軽減して再生することを記述している。この場合、コンテンツの付加効果に含まれる振動効果は、制御指定値の５０％である３８ｄｂで、照明効果は制御指定値２００１の３００ｌｘで実行される。
【０１２９】
これまで述べてきたユーザプリファレンスは、前記ユーザプリファレンスデータが存在する際には、常に適用される。しかしながら、付加効果の再生の好みは、視聴状況に応じて変わることもある。例えば、家族がいるユーザが、付加効果が含まれるコンテンツを、深夜に視聴する際は、周りに迷惑にならないように振動効果をオフすることを望んだり、オフィスや電車など公共の場所でモバイル機器を利用してコンテンツを視聴する際には、照明効果をオフすることを望むことが考えられる。これらを実現するために、付加効果を制限するユーザプリファレンスに、視聴環境情報を導入することができる。
【０１３０】
図２５は、ユーザプリファレンスにおける視聴環境の情報を記述するデータ例を示す図である。視聴環境情報の記述には、場所と時間を記述する。場所情報フィールドには、オフィスや電車や居間、自室などを、ユーザの環境に合わせて記述する。記述される値については、データ受信装置が、ユーザの入力や機器の設置位置などから判別できればよく、特に限定はされない。時間情報フィールドは、記述形式が複数用意されており、それぞれを識別するタグが用意されており、具体的には、図２５で示す形式のものがある。
【０１３１】
図２５において、タグ２１０１は、基準時間と継続期間で表記するためのＴＩＭＥＰＯＩＮＴタグである。また、タグ２１０２は、開始時間と終了時間で表記するためのＳＴＡＲＴ＿ＥＮＤ＿ＴＩＭＥタグである。タグ２１０３は、場所を示すＰＬＡＣＥタグである。記述方式はこれらに限定するものではなく、記述方式の判別ができれば、ＩＳＯ／ＩＥＣ  １５９３８−５，ＭＰＥＧ−７  Ｐａｒｔ５：ＭＤＳで規定されているＭｅｄｉａＴｉｍｅ  ｄａｔａｔｙｐｅなどの記述方法を利用してもよい。
【０１３２】
視聴環境情報には、場所情報と時間情報は、少なくともどちらか一方が存在すればよい。例えば、場所情報が存在しなければ、どの場所においても時間情報に従って付加効果の再生制御が行われ、両者が存在すれば、指定場所での指定時間に付加効果の再生制御が行われる。
【０１３３】
図２６は、視聴環境情報と付加効果の制御情報を利用したユーザプリファレンスの記述例を示す図である。
図２６では、視聴環境情報の時間情報として１０：００ＰＭから８時間の間（すなわち、０６：００ＡＭまで）が指定され、付加効果として、振動効果を５０％とすることが記述されている。このユーザプリファレンスを機器制御部１７０２が取得し適用すると、ユーザが振動効果と照明効果を有するコンテンツを１１：００ＰＭに視聴する際には、振動効果は制御指定値の５０％（３８ｄｂ）で実行される（図２６（Ａ））。それに対して、９：００ＡＭに視聴した際には、時間情報の範囲外であるため、ユーザプリファレンスによる制御は行われず、振動効果は制御指定値のまま（７６ｄｂ）で再生される（図２６（Ｂ））。
【０１３４】
図２６では、視聴環境情報として、時間情報が存在する場合の例を示したが、視聴環境情報に場所情報が含まれる場合も同様である。この場合も、機器制御部１７０２は、図示しない位置取得情報部から、ユーザの視聴する場所の情報を取得する。
例えば、受信装置にＧＰＳ（Ｇｒｏｂａｌ  Ｐｏｓｉｔｉｏｎｉｎｇ  Ｓｙｓｔｅｍ）受信の機能があれば、ＧＰＳから受信した位置情報と地図情報から場所を特定してもよいし、ＲＦＩＤを利用して、受信装置と視聴場所（例えば、家の各部屋の入り口や電車の車両内部）に、ＲＦＩＤを設置し、受信装置と視聴場所のＲＦＩＤが通信することにより、受信装置の位置を特定してもよい。
【０１３５】
あるいは、受信装置は、ユーザの持つ携帯電話や、あるいはＬＡＮ（Ｌｏｃａｌ  Ａｒｅａ  Ｎｅｔｗｏｒｋ）などの通信網のアクセスポイントなどから位置情報を取得してもよく、機器制御部１７０２が受信装置の場所情報を特定可能であれば、その取得手段は問わない。また、受信装置に位置情報取得部が存在しない場合、機器制御部１７０２は、ユーザに対して、付加効果を含むコンテンツの視聴時に視聴場所を問い合わせてもよい。以上のようにして、機器制御部１７０２は場所情報を取得することにより、時間情報と同様に、図２５で示すユーザプリファレンスの適用が可能となる。
【０１３６】
図２７は、ユーザプリファレンスをＸＭＬで記述した例である。図２７において、ユーザ情報や時間情報、場所情報の記述には、ＩＳＯ／ＩＥＣ  １５９３８−５，ＭＰＥＧ−７  Ｐａｒｔ５：ＭＤＳで規定されている形式を利用している。図２７では、ユーザとしてＪｏｈｎとＭａｒｙのプリファレンスが記述されている。Ｊｏｈｎのプリファレンスは、ｌｉｖｉｎｇ  ｒｏｏｍで午後１０時から午前６時までに視聴する際は、振動効果は、制御指定値の５０％で実行することを示している。一方、Ｍａｒｙのプリファレンスでは、オフィスで視聴する際は、常に、照明効果は実行しないことを示している。図２８は、図２７のＸＭＬ記述に対するＸＭＬスキーマでの表現の一例である。
【０１３７】
加えて、付加効果を有するコンテンツを、プリファレンスを有する２人以上で視聴する場合は、各ユーザに共通する付加効果にだけ着目してもよいし、それぞれのプリファレンスを全て満たす付加効果の制御を行っても良い。
例えば、ＪｏｈｎとＭａｒｙが一緒にコンテンツを視聴する際に、Ｊｏｈｎのプリファレンスには、照明効果オフと振動効果５０％のプリファレンスが記述され、Ｍａｒｙのプリファレンスには、照明効果７０％と香り効果オフのプリファレンスが記述されているとすると、共通する付加効果だけを制限する場合は、照明効果だけが制限され、振動効果や香り効果は制限されない。
一方、プリファレンスを全て満たすように実行する場合は、照明効果、振動効果、及び香り効果の実行が制限される。
【０１３８】
なお、各効果の制限方法については特に限定するものではないが、例えば、照明効果の場合、より多くの付加効果を実行するような制限値（Ｍａｒｙの７０％）を選択してもよいし、より制限のかかった値（Ｊｏｈｎのオフ）を選択してもよい。
また、ユーザ情報は、図２７に示したように個人で設定してもよいし、家族などのグループに対して設定してもよい。
【０１３９】
さらに、これまで述べてきたユーザプリファレンスでは、ユーザが望む付加効果に対する制御を全て記述しなければならない。すなわち、コンテンツに数種類含まれる付加効果（照明効果や振動効果、香り効果など）のうち、照明効果だけを有効としたい場合など、コンテンツに含まれると考えられる照明効果以外の全ての付加効果について、実行を行わない旨を記述しなければならない。これを避けるため、ユーザプリファレンスには、実行を許可する付加効果を記述し、付加効果のフィルタリングを行っても良い。
【０１４０】
具体的には、ユーザプリファレンスに実行許可を示す記述を用意し、設定することで実現する。本例では該記述は、ＡｌｌｏｗとＤｅｎｙのどちらかの値を取る。該記述の値がＡｌｌｏｗであれば、記述された付加効果のみ実行を許可され、記述されていない付加効果は実行されない。該当記述の値がＤｅｎｙであれば記述された付加効果は実行されず、記述以外の付加効果の実行が可能である。
【０１４１】
図２９にユーザプリファレンスによるフィルタリングの記述例を示す。
図２９（Ａ）では、振動及び香り効果に対して、Ａｌｌｏｗが設定されている。この場合、振動及び香り効果は実行されるが、それ以外の付加効果は実行されない。同様に、図２９（Ｂ）は、照明効果にＤｅｎｙが設定されている。このプリファレンスでは、照明の付加効果は実行されない。図２９（Ｃ）に動作例を示す。照明と振動の制作者プリファレンス２５０１を有するコンテンツを、ユーザプリファレンス２５０２及び２５０３の元で視聴する際には、ユーザプリファレンス２５０２で振動と香りのみ実行を許可されているため、照明の付加効果は実行されず、振動効果のみが実行対象となる。ただし、振動効果には、制御指定値の５０％で実行するユーザプリファレンス２５０３があるため、制御指定値の５０％の値、すなわち、３８ｄｂで実行される。
【０１４２】
さらに、図２９（Ｄ）のように該フィルタリングを視聴環境情報と組み合わせることにより、視聴環境に応じた付加効果のフィルタリングを実現してもよい。図２９（Ｄ）では、１０：００ＰＭから８時間の間では、振動と香り効果のみが実行が許可されていることを示す。本例では、付加効果の実行許可をＡｌｌｏｗとＤｅｎｙを用いて説明したが、各付加効果での実行許可が区別可能であれば、これに制限するものではない。以上により、フィルタリングによって実行を許可された付加効果に対して、前記付加効果制御を適用することで、ユーザが希望する付加効果を、好みに応じた値で実行することが可能となる。
【０１４３】
本実施態様においては、ユーザプリファレンスの記述は、個々の付加効果の再生状態を記述したが、付加効果だけでなく、特定のパラメータに記述してもよい。例えば、照明効果であれば、明るさや輝度のそれぞれについて制御情報を記述してもよい。また、照明の点滅効果などの動作に関する視聴環境制御データがコンテンツに含まれる場合、ユーザプリファレンスで、点滅間隔などを制御する記述を行っても良い。
【０１４４】
このように、ユーザプリファレンスにて、付加効果の再生状態を記述することにより、ユーザ好みの付加効果の再生方法や、視聴する時間や場所に適した付加効果の再生が、視聴毎に周辺機器の動作設定を行わなくても、可能になる。
【符号の説明】
【０１４５】
１０１…映像符号化部、１０２…音声符号化部、１０３…視聴環境制御データ符号化部、１０４…視聴環境制御データ入力部、１０５…データ多重化部、１０６…送信部、２０１…効果入力部、２０２…プリファレンス入力部、２０３…フォーマット部、７０１…受信部、７０２…データ分離部、７０３…映像復号部、７０４…音声復号部、７０５…視聴環境制御データ復号部、７０６…映像再生部、７０７…音声再生部、７０８，１７０２…機器制御部、７０９…照明装置、８０１…解析部（パーサ）、８０２…効果抽出部、８０３…プリファレンス抽出部、８０４…機器能力取得部、８０５，１８０２…制御値決定部、８０６…コマンド発行部、１４０１…視聴環境制御データ送信部、１４０２…視聴環境制御データサーバー、１４０３…蓄積部、１５０１…視聴環境制御データ受信部、１７０１…ユーザプリファレンス管理部、１７０３…振動装置、１８０１…ユーザプリファレンス取得部。
【図１】
2010007987.tif 000004
【図２】
2010007987.tif 000005
【図３】
2010007987.tif 000006
【図４】
2010007987.tif 000007
【図５】
2010007987.tif 000008
【図６】
2010007987.tif 000009
【図７】
2010007987.tif 000010
【図８】
2010007987.tif 000011
【図９】
2010007987.tif 000012
【図１０】
2010007987.tif 000013
【図１１】
2010007987.tif 000014
【図１２】
2010007987.tif 000015
【図１３】
2010007987.tif 000016
【図１４】
2010007987.tif 000017
【図１５】
2010007987.tif 000018
【図１６】
2010007987.tif 000019
【図１７】
2010007987.tif 000020
【図１８】
2010007987.tif 000021
【図１９】
2010007987.tif 000022
【図２０】
2010007987.tif 000023
【図２１】
2010007987.tif 000024
【図２２】
2010007987.tif 000025
【図２３】
2010007987.tif 000026
【図２４】
2010007987.tif 000027
【図２５】
2010007987.tif 000028
【図２６】
2010007987.tif 000029
【図２７】
2010007987.tif 000030
【図２８】
2010007987.tif 000031
【図２９】
2010007987.tif 000032
【国際調査報告】
2010007987.tif 000033
2010007987.tif 000034
2010007987.tif 000035
2010007987.tif 000036
2010007987.tif 000037
2010007987.tif 000038
2010007987.tif 000039